(57)【要約】      （修正有）【課題】高い防湿特性を有する紙質からなる水産包装箱を提供する。【解決手段】紙材からなるケース体１０であり、前記ケース体１０がケース胴部１１及びケース蓋１２を含み、前記ケース体１０の内、外表面にグルー層２０が設けられ、前記グルー層２０に粘着のための防水膜層３０が設けられている。【選択図】図３
0003182225.tif 000002
【実用新案登録請求の範囲】
【請求項１】
紙材からなるケース体であり、前記ケース体がケース胴部及びケース蓋を含み、前記ケース胴部の内部に収容空間が設けられ、前記ケース蓋が前記ケース胴部の上端面に蓋着され、前記収容空間を閉鎖するための水産包装箱であって、
前記ケース体の表面に粘着のための防水膜層を備えたグルー層が設けられていることを特徴とする水産包装箱。
【請求項２】
前記ケース体の防水膜層は、非水透過性のプラスチック薄膜であり、前記ケース胴部又はケース蓋上に、少なくとも外部空気が前記収容空間と流通するための通気口が設けられていることを特徴とする請求項１に記載の水産包装箱。
【請求項３】
前記ケース胴部の底部に、前記ケース胴部に水液が溜まることを防止するための排水孔が設けられていることを特徴とする請求項１又は２に記載の水産包装箱。
【考案の詳細な説明】
【技術分野】
【０００１】
本考案は、水産包装箱に関し、特に紙質箱体又はケース体であって、水産品の包装に用いられ、箱体の強固性を効果的に保持することが水産包装箱に関するものである。
【背景技術】
【０００２】
一般に、水産は、人工養殖又は漁船による海上での捕獲から得られたものである。いかなる方法で水産品を捕獲しても、水産品が捕獲された後に、輸送・配送が容易に行われるように、冷凍設備を利用して冷凍で鮮度を保つことが通常である。漁船作業の形式を例にすると、水産品が捕獲された場合、作業者は、その場でデッキの上に漁獲物を分類し、包装箱の中に並べて、包装箱を冷凍設備を有する船倉に載置し、低温により漁獲物を冷凍して鮮度を保つ。漁船が港に入った後、包装箱中の漁獲物は、各場所に販売・配送することが可能となる。
【０００３】
従来の包装箱は、一般には、紙板から箱体として折り畳まれ、箱体の強固性及び必要な防湿性を保持するために、紙箱の内、外表面にワックス層を塗布することにより、基本的な防湿性及び箱体の強固性を達成する。しかしながら、従来の水産包装箱は、実際に使用された結果、以下の問題点が存在している。
【０００４】
１、包装箱表面に塗布されたワックス層は、運搬の過程において、衝撃、摩擦によってスクラッチ又は損傷が容易に生じることになる。包装箱内の水産品は、エンドユーザに配送された過程において、水産品の温度上昇によって水液が生じ、この水液がワックス層の破壊によって包装箱の紙材に侵入するため、箱体が浸水によって軟化し、強固性が失われてしまう。
【０００５】
２、包装箱表面に塗布されたワックス層に粘着作用が生じる。運搬者は、重ね合わせられた包装箱を運搬しようとする場合、粘着された箱体を力を入れて移動する必要があり、運搬上には極めて手間がかかり、ワックス層が引き裂かれ破壊され、包装箱の防湿効果が失われてしまう。
【０００６】
３、包装箱内の水産品（例えば魚体）が、その表面に包装箱表面に塗布されたワックス層が粘着することによって汚染した場合には、水産品が食材として取り扱われると、食用者は、ワックスを食べてしまう可能性があり、人体に危害を与えることとなる。
【考案の概要】
【考案が解決しようとする課題】
【０００７】
そこで、本考案は、上述の課題を解決するための水産包装箱であって、極めて好ましい防湿特性を有する紙質包装箱を提供することを目的とする。
【課題を解決するための手段】
【０００８】
本考案に係る水産包装箱は、紙製ケース体を含み、前記ケース体がケース胴部及びケース蓋を含み、前記ケース体の表層又は表面にグルー層が設けられ、前記グルー層に粘着のための防水膜層が設けられている。
【考案の効果】
【０００９】
本考案に係る水産包装箱によれば、水産品が包装収容され、極めて好ましい防水特性を有する効果を奏することができる。
【図面の簡単な説明】
【００１０】
【図１】本考案の一実施形態に係る水産包装箱の立体図を示す。
【図２】図１の水産包装箱のケース蓋が開けられた場合の立体図を示す。
【図３】図１の水産包装箱の包装模式図を示す。
【考案を実施するための形態】
【００１１】
図１ないし図３は、本考案に係る水産包装箱を示す。該水産包装箱は、ケース体１０を含み、該ケース体１０は、紙材からなっており、ケース胴部１１及びケース蓋１２を含む。ケース胴部１１の内部に収容空間１３が設けられており、ケース蓋１２がケース胴部１１の上端面に蓋着され、収容空間１３を閉鎖する。ケース体１０の表面（内、外表面を含む）に、粘着のための防水膜層３０を備えたグルー層２０が設けられている。具体的には、ケース体１０の内、外表面に、防水膜層３０（図３参照）が設けられている。防水膜層３０は、非水透過性の薄膜であり、例えばプラスチック膜である。
【００１２】
具体的な実施形態において、紙材（段ボール紙）の上、下表層にグルー層２０を均一に塗布し、グルー層２０の上に防水膜層３０を接着する。その後、該紙材をケース体１０の所要の展開形状に切断して、ケース体１０として折り畳む。
【００１３】
さらに、ケース胴部１１及び／又はケース蓋１２の上に、少なくとも外部の空気が収容空間１３と流通するための通気口１４が設けられている。
【００１４】
ケース胴部１１の底部に、１つ又は複数の排水孔１５が設けられており、排水孔１５の設置により、ケース体１０に水液が溜まることを防止することができる。
【００１５】
図３に示すように、ケース胴部１１の収容空間１３には水産品が配列収容され、ケース蓋１２は、収容空間１３を閉鎖するために、ケース胴部１１の上端面に蓋着することができる。ケース体１０の内、外表面にグルー層２０により防水膜層３０が粘着されているため、ケース体１０が水産品の包装箱として用いられた場合には、防水膜層３０は、極めて好ましい防水、防湿効果を奏することができる。また、ケース体１０が冷凍設備に置かれた場合には、ケース胴部１１又はケース蓋１２上の通気口１４を介して冷空気が収容空間１３に入ることで、ケース体１０における水産品は、速やかに温度下降して鮮度を保つことができる。さらに、ケース体１０の底部の排水孔１５は、水産品の温度上昇によって水液がケース体１０に溜まることを防止し、ケース体１０の強固性を確保することができる。
【００１６】
本考案に係るケース体１０によれば、以下の利点を有する。
【００１７】
１、ケース体１０の表面にある防水膜層３０は、非水透過性であり、平滑面の薄膜特性を有する。複数の水産包装箱が重ね合わされた場合には、ケース体１０の表面に粘着性が生じることはない。従って、ケース体１０が運搬の過程において、防水膜層３０にスクラッチ又は損傷が生じることはなく、ケース体１０は、好ましい防水、防湿効果を発揮し、強固性を確保することができる。
【００１８】
２、水産品がケース体１０の収容空間１３に入れられた場合には、魚体又は内容物が汚染されることはなく、水産品の調理食用時に人体に危害を与えることを回避することができる。
【００１９】
本考案の図面において、水産品として魚類を例示するが、それらは、包装物の実施物品の１つに過ぎず、本考案に係るケース体１０は、その他の水産類物品にも適用することができる。さらに、本考案は、特に段ボール紙からなる矩形包装ケースに適用するが、これは好ましい使用範囲に過ぎず、ケース体１０は、その他の紙材からなってもよい。
【００２０】
以上のように、本考案では、紙材からなるケース体であり、前記ケース体がケース胴部及びケース蓋を含み、前記ケース胴部の内部に収容空間が設けられ、前記ケース蓋が前記ケース胴部の上端面に蓋着され、前記収容空間を閉鎖するための水産包装箱であって、前記ケース体の表面に粘着のための防水膜層を備えたグルー層が設けられていることを特徴とする水産包装箱とするものである。
【００２１】
また、前記ケース体の防水膜層は、非水透過性のプラスチック薄膜であり、前記ケース胴部又はケース蓋上に、少なくとも外部空気が前記収容空間と流通するための通気口が設けられているものとする。
【００２２】
また、前記ケース胴部の底部に、前記ケース胴部に水液が溜まることを防止するための排水孔が設けられているものとする。
【産業上の利用可能性】
【００２３】
本考案に係る水産包装箱によれば、水産品が包装収容され、極めて好ましい防水特性を有する効果を奏することができる。
【符号の説明】
【００２４】
１０  ケース体
１１  ケース胴部
１２  ケース蓋
１３  収容空間
１４  通気口
１５  排水孔
２０  グルー層
３０  防水膜層
【図１】
0003182225.tif 000003
【図２】
0003182225.tif 000004
【図３】
0003182225.tif 000005